(57)【要約】本発明の実施形態は、ライセンス補助アクセスＬＡＡシステムに基づくアップリンク送信方法、および装置を開示する。本方法は、アンライセンスキャリア上で送信される送信バーストについて、送信バーストに対応するアップリンク送信バーストのサブフレーム内に少なくとも１つのＳＣ−ＦＤＭＡシンボルを予約するステップを含み、予約された少なくとも１つのＳＣ−ＦＤＭＡシンボルにおいて、ユーザ機器は、リッスンビフォートークＬＢＴアクセス機構を使用してチャネルにアクセスする。前述の解決策では、ＬＢＴを介してチャネルにアクセスするための時間間隔は、別のＵＥについてアップリンク送信バースト内に予約されることができる。これにより別のＵＥがチャネルに首尾よくアクセスする確率が向上されて、ＬＡＡ通信システムにおける複数のユーザ機器がアップリンク多重を実行することができる。
2019515569.tif 000002
【特許請求の範囲】
【請求項１】
ライセンス補助アクセスＬＡＡシステムに基づくアップリンク送信方法であって、
アンライセンスキャリア上で送信される送信バーストについて、前記送信バーストに対応するアップリンク送信バーストのサブフレーム内に少なくとも１つのＳＣ−ＦＤＭＡシンボルを予約するステップを含み、前記予約された少なくとも１つのＳＣ−ＦＤＭＡシンボルにおいて、ユーザ機器は、リッスンビフォートークＬＢＴアクセス機構を使用してチャネルにアクセスする、方法。
【請求項２】
前記送信バーストに対応するアップリンク送信バーストのサブフレーム内に少なくとも１つのＳＣ−ＦＤＭＡシンボルを予約する前記ステップは、
前記アップリンク送信バーストの各サブフレームの開始位置および／または終了位置に少なくとも１つのＳＣ−ＦＤＭＡシンボルを予約するステップ、または
前記アップリンク送信バーストのいくつかのサブフレームの開始位置および／または終了位置に少なくとも１つのＳＣ−ＦＤＭＡシンボルを周期的に予約するステップ、または
前記アップリンク送信バーストの特定のサブフレームの開始位置および／または終了位置に少なくとも１つのＳＣ−ＦＤＭＡシンボルを予約するステップを含む、請求項１に記載の方法。
【請求項３】
前記予約された少なくとも１つのＳＣ−ＦＤＭＡシンボルは低電力送信シンボルであり、前記低電力送信シンボル内のいくつかの周波数領域リソースは占有されることが可能であり、前記低電力送信シンボル内の占有されていない周波数リソース上で、前記ユーザ機器は、前記リッスンビフォートークＬＢＴアクセス機構を使用して前記チャネルにアクセスする、請求項１または２に記載の方法。
【請求項４】
前記低電力送信シンボルにおいて占有されることが可能な前記いくつかの周波数リソースは、システム帯域幅全体の両端部のリソースブロックに分散される、請求項３に記載の方法。
【請求項５】
前記予約された少なくとも１つのＳＣ−ＦＤＭＡシンボルは、前記アップリンク送信バーストの最初のサブフレームの開始位置のシンボル、または前記アップリンク送信バーストの最後のサブフレームの終了位置のシンボルを含まない、請求項１から４のいずれか一項に記載の方法。
【請求項６】
前記予約された少なくとも１つのＳＣ−ＦＤＭＡシンボルを、上位層設定シグナリングおよび／または物理ダウンリンク制御チャネルを使用して構成するステップをさらに含み、以下のオプション、すなわち予約されたＳＣ−ＦＤＭＡシンボルの数量、サブフレーム内の前記予約されたＳＣ−ＦＤＭＡシンボルの位置、予約されたＳＣ−ＦＤＭＡシンボルのタイプ、および前記予約されたＳＣ−ＦＤＭＡシンボルの周期およびオフセットのうちの少なくとも１つが具体的に含まれる、請求項１から５のいずれか一項に記載の方法。
【請求項７】
上位層設定シグナリングおよび／または物理ダウンリンク制御チャネルを使用して、前記予約されたＳＣ−ＦＤＭＡシンボルを含むサブフレームを設定するステップをさらに含み、以下のオプション、すなわち前記予約されたＳＣ−ＦＤＭＡシンボルを含むサブフレームの数量、前記アップリンク送信バースト内の前記予約されたＳＣ−ＦＤＭＡシンボルを含む前記サブフレームの位置、および前記予約されたＳＣ−ＦＤＭＡシンボルを含む前記サブフレームの周期およびオフセットのうちの少なくとも１つが具体的に含まれる、請求項１から６のいずれか一項に記載の方法。
【請求項８】
通信ネットワーク装置であって、
アンライセンスキャリア上で送信された送信バーストに対して、前記送信バーストに対応するアップリンク送信バーストのサブフレーム内に少なくとも１つのＳＣ−ＦＤＭＡシンボルを予約するように構成されるプロセッサを備え、前記予約された少なくとも１つのＳＣ−ＦＤＭＡシンボルにおいて、ユーザ機器は、リッスンビフォートークＬＢＴアクセス機構を使用してチャネルにアクセスする、通信ネットワーク装置。
【請求項９】
前記プロセッサは、前記アップリンク送信バーストの各サブフレームの開始位置および／または終了位置に少なくとも１つのＳＣ−ＦＤＭＡシンボルを予約する、
または前記アップリンク送信バーストのいくつかのサブフレームの開始位置および／または終了位置に少なくとも１つのＳＣ−ＦＤＭＡシンボルを周期的に予約する、
または前記アップリンク送信バーストの特定のサブフレームの開始位置および／または終了位置に少なくとも１つのＳＣ−ＦＤＭＡシンボルを予約するように具体的に構成される、請求項８に記載の通信ネットワーク装置。
【請求項１０】
前記予約された少なくとも１つのＳＣ−ＦＤＭＡシンボルは低電力送信シンボルであり、前記低電力送信シンボル内のいくつかの周波数領域リソースは占有されることが可能であり、前記低電力送信シンボル内の占有されていない周波数リソース上で、前記ユーザ機器は、前記リッスンビフォートークＬＢＴアクセス機構を使用して前記チャネルにアクセスする、請求項８または９に記載の通信ネットワーク装置。
【請求項１１】
前記低電力送信シンボルにおいて占有されることが可能な前記いくつかの周波数リソースは、システム帯域幅全体の両端部のリソースブロックに分散される、請求項１０に記載の通信ネットワーク装置。
【請求項１２】
前記予約された少なくとも１つのＳＣ−ＦＤＭＡシンボルは、前記アップリンク送信バーストの最初のサブフレームの開始位置のシンボル、または前記アップリンク送信バーストの最後のサブフレームの終了位置のシンボルを含まない、請求項８から１１のいずれか一項に記載の通信ネットワーク装置。
【請求項１３】
前記プロセッサは、前記予約された少なくとも１つのＳＣ−ＦＤＭＡシンボルを、上位層設定シグナリングおよび／または物理ダウンリンク制御チャネルを使用して設定するようにさらに適合され、以下のオプション、すなわち予約されたＳＣ−ＦＤＭＡシンボルの数量、サブフレーム内の前記予約されたＳＣ−ＦＤＭＡシンボルの位置、予約されたＳＣ−ＦＤＭＡシンボルのタイプ、および前記予約されたＳＣ−ＦＤＭＡシンボルの周期およびオフセットのうちの少なくとも１つが具体的に含まれる、請求項８から１２のいずれか一項に記載の通信ネットワーク装置。
【請求項１４】
前記プロセッサは、上位層設定シグナリングおよび／または物理ダウンリンク制御チャネルを使用して、前記予約されたＳＣ−ＦＤＭＡシンボルを含むサブフレームを設定するようにさらに適合され、以下のオプション、すなわち前記予約されたＳＣ−ＦＤＭＡシンボルを含むサブフレームの数量、前記アップリンク送信バースト内の前記予約されたＳＣ−ＦＤＭＡシンボルを含む前記サブフレームの位置、および前記予約されたＳＣ−ＦＤＭＡシンボルを含む前記サブフレームの周期およびオフセットのうちの少なくとも１つが具体的に含まれる、請求項８から１３のいずれか一項に記載の通信ネットワーク装置。
【発明の詳細な説明】
【技術分野】
【０００１】
本発明は、通信技術の分野に関し、特に、ライセンス補助アクセスＬＡＡシステムに基づくアップリンク送信方法、および装置に関する。
【背景技術】
【０００２】
移動通信技術は進化を続けており、移動体通信ネットワークはより成熟しつつあるが、移動体データトラフィックの急激な増加は操作者にとって依然として大きな課題である。この永続的な圧力の下では、操作者は、アンライセンス（Ｕｎｌｉｃｅｎｓｅ）スペクトルリソースの効率的な利用により注意を払う。そこで、ロングタームエボリューション技術を使用したライセンス補助アクセス（Ｌｉｃｅｎｓｅｄ−Ａｓｓｉｓｔｅｄ  Ａｃｃｅｓｓ  Ｕｓｉｎｇ  Ｌｏｎｇ  Ｔｅｒｍ  Ｅｖｏｌｕｔｉｏｎ、ＬＡＡ−ＬＴＥ）が出現する。
【０００３】
ＬＡＡは、３ＧＰＰ  ＬＴＥ  Ａｄｖａｎｃｅｄ  Ｐｒｏ  Ｒｅｌｅａｓｅ  １３規格の一部である。定義されているように、ＬＡＡは、ＬＴＥネットワーク技術がアンライセンス周波数帯に対して使用されることを意味し、キャリアアグリゲーションアーキテクチャに基づいて、ライセンス周波数帯域のキャリアがプライマリセル（ＰＣｅｌｌ）として使用され、アンライセンス周波数帯域のキャリアがセカンダリセル（ＳＣｅｌｌ）としてのみ使用されることが可能である。さらに、アンライセンス周波数帯域で使用される別の技術との共存を保証するために、リッスンビフォートーク（Ｌｉｓｔｅｎ−Ｂｅｆｏｒｅ−Ｔａｌｋ、ＬＢＴ）チャネル競合アクセス機構が使用される。ＬＢＴは、キャリアセンス多重アクセス（Ｃａｒｒｉｅｒ  Ｓｅｎｓｅ  Ｍｕｌｔｉｐｌｅ  Ａｃｃｅｓｓ、ＣＳＭＡ）技術である。
【０００４】
ＬＡＡシステムでは、複数のユーザ機器（Ｕｓｅｒ  Ｅｑｕｉｐｍｅｎｔ、ＵＥ）がアップリンク多重（Ｍｕｌｔｉｐｌｅｘｉｎｇ）を実行し得る。しかし、図１に示すように、アップリンクサブフレームＮ＋４、Ｎ＋５、Ｎ＋６の全てのシンボルがデータを送信するために使用される場合、チャネルは常に占有されており、別のＵＥはそのチャネルにアクセスすることができない。その結果、複数のＵＥがアップリンク多重を実行することができない。
【発明の概要】
【０００５】
本発明の実施形態は、アップリンク送信バースト内の別のＵＥに対して、ＬＢＴを介してチャネルにアクセスするための時間間隔を予約するための、ライセンス補助アクセスＬＡＡシステムに基づくアップリンク送信方法、および装置を提供する。これにより別のＵＥがチャネルに首尾よくアクセスする確率が向上され、それによってＬＡＡ通信システムにおける複数のユーザ機器がアップリンク多重を実行することができる。
【０００６】
第１の態様によれば、ライセンス補助アクセスＬＡＡシステムに基づくアップリンク送信方法が提供され、本方法は、アンライセンスキャリア上で送信される送信バーストについて、送信バーストに対応するアップリンク送信バーストのサブフレーム内に少なくとも１つのＳＣ−ＦＤＭＡシンボルを予約するステップを含み、予約された少なくとも１つのＳＣ−ＦＤＭＡシンボルにおいて、ユーザ機器は、リッスンビフォートークＬＢＴアクセス機構を使用してチャネルにアクセスする。
【０００７】
第１の態様に関して、可能な実装において、少なくとも１つのＳＣ−ＦＤＭＡシンボルがアップリンク送信バーストの各サブフレームの開始位置および／または終了位置に予約され得る。このように、ＬＢＴを介してチャネルにアクセスするための時間間隔は、複数のＵＥに対してアップリンク多重を実施するように、別のＵＥについて各サブフレームの開始位置および／または終了位置に予約されることができる。
【０００８】
第１の態様に関して、可能な実装において、少なくとも１つのＳＣ−ＦＤＭＡシンボルがアップリンク送信バーストのいくつかのサブフレームの開始位置および／または終了位置に周期的に予約され得る。このように、ＬＢＴを介してチャネルにアクセスするための時間間隔は、複数のＵＥに対してアップリンク多重を実施するように、別のＵＥについてアップリンク送信バーストのいくつかのサブフレームの開始位置および／または終了位置に周期的に予約されることができる。
【０００９】
第１の態様に関して、可能な実装において、少なくとも１つのＳＣ−ＦＤＭＡシンボルがアップリンク送信バーストの特定のサブフレームの開始位置および／または終了位置に予約され得る。
【００１０】
第１の態様に関して、または第１の態様の前述のいくつかの可能な実装に関して、ある可能な実装において、少なくとも１つのＳＣ−ＦＤＭＡ記号は、低電力送信シンボルであってもよい。本発明のこの実施形態における低電力送信シンボル内のある周波数リソースは、占有されることが可能である。さらに、ＡＢＳシンボル内の占有されていない周波数リソース上で、ユーザ機器は、リッスンビフォートークＬＢＴアクセス機構を使用してチャネルにアクセスし得る。このようにして、これは、Ｗｉ−Ｆｉアクセスポイントが、ＬＢＴを介して予約された少なくとも１つのＳＣ−ＦＤＭＡシンボル内のアイドルチャネルにアクセスすることを回避し得、その結果ＬＡＡ−ＬＴＥユーザ機器は、チャネルに首尾よくアクセスできない（すなわち、ＬＡＡ−ＬＴＥユーザ機器のアクセス成功の確率が低減される）。
【００１１】
ある可能な実装では、欧州電気通信規格協会（ＥＴＳＩ）（Ｅｕｒｏｐｅａｎ  Ｔｅｌｅｃｏｍｍｕｎｉｃａｔｉｏｎｓ  Ｓｔａｎｄａｒｄｓ  Ｉｎｓｔｉｔｕｔｅ）の低電力送信シンボルの周波数特性（すなわち、低電力送信シンボルにおいて占有されることができる周波数は、全帯域幅の８０％に及ぶ必要がある）に関する規定を満たすために、低電力送信シンボルで占有されることが可能な周波数は、システム帯域幅の両端部のリソースブロックに分散されてもよい。
【００１２】
本発明のこの実施形態では、予約された少なくとも１つのＳＣ−ＦＤＭＡシンボルは、上位層設定シグナリング（例えば、ＲＲＣシグナリング）、物理ダウンリンク制御チャネル（ＰＤＣＣＨ）などを使用して設定してもよく、以下のオプション、すなわち予約されたＳＣ−ＦＤＭＡシンボルの数量、サブフレーム内の予約されたＳＣ−ＦＤＭＡシンボルの位置、予約されたＳＣ−ＦＤＭＡシンボルのタイプ、および予約されたＳＣ−ＦＤＭＡシンボルの周期およびオフセットのうちの少なくとも１つが具体的に含まれる。
【００１３】
本発明のこの実施形態において、予約されたＳＣ−ＦＤＭＡシンボルを含むサブフレームは、上位層設定シグナリング（例えば、ＲＲＣシグナリング）、物理ダウンリンク制御チャネル（ＰＤＣＣＨ）などを使用して設定してもよく、以下のオプション、すなわち予約されたＳＣ−ＦＤＭＡシンボルを含むサブフレームの数量、アップリンク送信バースト内の予約されたＳＣ−ＦＤＭＡシンボルを含む前記サブフレームの位置、および予約されたＳＣ−ＦＤＭＡシンボルを含むサブフレームの周期およびオフセットのうちの少なくとも１つが具体的に含まれる。
【００１４】
第２の態様によれば、メモリと、メモリに結合されたプロセッサとを含む通信ネットワーク装置が提供される。メモリは、第１の態様で説明した方法を実施するためのコードを格納するように構成される。プロセッサは、メモリに格納されたプログラムコードを実行する、すなわち、第１の態様で説明したライセンス補助アクセスＬＡＡシステムに基づいてアップリンク送信方法を実行するように構成される。
【００１５】
第３の態様によれば、第１の態様の方法を実行するように構成されたユニットを含む通信ネットワーク装置が提供される。
【００１６】
本発明の実施形態において、少なくとも１つのＳＣ−ＦＤＭＡシンボルは、アップリンク送信バーストのサブフレーム内に予約される。予約された少なくとも１つのＳＣ−ＦＤＭＡシンボルでは、ユーザ機器は、リッスンビフォートークＬＢＴアクセス機構を使用してチャネルにアクセスし得る。このように、ＬＢＴを介してチャネルにアクセスするための時間間隔は、別のＵＥについてアップリンク送信バースト内に予約されることができ、別のＵＥがチャネルに首尾よくアクセスする確率が向上され、それによってＬＡＡ通信システムにおける複数のユーザ機器がアップリンク多重を実行することができる。
【図面の簡単な説明】
【００１７】
本発明の実施形態における技術的解決策をより明確に説明するために、以下、実施形態を説明するために必要な添付図面を簡単に説明する。
【００１８】
【図１】図１は、本発明の実施形態によるアプリケーションシナリオの概略図である。
【図２】図２は、本発明の実施形態によるリッスンビフォートークＬＢＴアクセス機構の概略図である。
【図３Ａ】図３Ａは、本発明の実施形態によるいくつかのＳＣ−ＦＤＭＡシンボル予約方法の概略図である。
【図３Ｂ】図３Ｂは、本発明の実施形態によるいくつかのＳＣ−ＦＤＭＡシンボル予約方法の概略図である。
【図３Ｃ】図３Ｃは、本発明の実施形態によるいくつかのＳＣ−ＦＤＭＡシンボル予約方法の概略図である。
【図４】図４は、本発明の実施形態による、ＬＡＡシステムおよびＷｉ−Ｆｉシステムが共存するシナリオにおけるリッスンビフォートークＬＢＴアクセス機構の概略図である。
【図５】図５は、本発明の実施形態による低電力送信シンボルの周波数領域特徴の概略図である。
【図６】図６は、本発明の実施形態による通信ネットワーク装置の概略構成図である。
【発明を実施するための形態】
【００１９】
本発明の実施形態で使用される用語は、単に本発明の特定の実施形態を説明するために使用されるものであり、本発明を限定することを意図するものではない。
【００２０】
図２に示すように、本発明の実施形態におけるリッスンビフォートークＬＢＴアクセス機構は、ＬＡＡ通信システムにおいて、毎回データを送信する前に、ノード（例えば、ＵＥ２）は、まずチャネルをリッスンして、チャネルがアイドル状態か否かを判定し、チャネルがアイドル状態でない場合（すなわち、クリアチャネル評価（Ｃｌｅａｒ  Ｃｈａｎｎｅｌ  Ａｓｓｅｓｓｍｅｎｔ、ＣＣＡ）に失敗した場合）、ノードはチャネルに最初にアクセスしない（つまり、データを送信しない）が、ある時間後にアクセスを再試行する。言い換えれば、ノードは、チャネルがアイドルである（すなわち、クリアチャネル評価ＣＣＡが成功の）場合にのみ、チャネルにアクセスすることができ、それによって、別のノードの進行中の送信プロセスの中断を回避する。図２は、単なる一例に過ぎず、本発明の実施形態を説明する助けとなるために使用され、限定を構成するものではないことを留意されたい。ＬＡＡ通信システムは、２つ以上の通信ノードを含み得る（図２のＵＥ１およびＵＥ２に限定されない）ことを理解されたい。
【００２１】
本発明の実施形態は、アップリンク送信バースト内の別のＵＥに対して、ＬＢＴを介してチャネルにアクセスするための時間間隔を予約するための、ライセンス補助アクセスＬＡＡシステムに基づくアップリンク送信方法、および装置を提供する。これにより別のＵＥがチャネルに首尾よくアクセスする確率が向上されて、その結果ＬＡＡ通信システムにおける複数のユーザ機器がアップリンク多重を実行することができる。
【００２２】
本発明の解決策の主な独創的概念は、アンライセンスキャリア上で送信される送信バーストについて、送信バーストに対応するアップリンク送信バーストのサブフレーム内に少なくとも１つのＳＣ−ＦＤＭＡシンボルを予約するステップを含み、予約された少なくとも１つのＳＣ−ＦＤＭＡシンボルにおいて、ユーザ機器は、リッスンビフォートークＬＢＴアクセス機構を使用してチャネルにアクセスする。このようにして、予約された少なくとも１つのＳＣ−ＦＤＭＡシンボルにおいて、チャネルはアイドル状態にあり、別のＵＥはＬＢＴを介してチャネルにアクセスすることができる。
【００２３】
具体的には、図１に示すように、送信バーストは、ダウンリンク送信バーストおよびアップリンク送信バーストを含み得る。各ダウンリンク送信バーストの前に、１つのダウンリンククリアチャネル評価（ＤＬ用のＣＣＡ）が存在する。ダウンリンク送信バーストおよびアップリンク送信バーストは、１つのアップリンククリアチャネル評価（ＵＬ用のＣＣＡ）および１つのダウンリンク−アップリンクスイッチング（Ｄｏｗｎｌｉｎｋ−ｔｏ−Ｕｐｌｉｎｋ  ｓｗｉｔｃｈｉｎｇ）期間によって分離される。なお、図１は、送信バーストの一例に過ぎず、いかなる限定を構成するものではないことに留意されたい。
【００２４】
本発明のこの実施形態では、アップリンク送信バースト（ＵＬ送信バースト）は、時間的に連続しており、ユーザ機器からのものであり、ダウンリンク送信バースト（ＤＬ送信バースト）は、時間的に連続しており、ダウンリンク送信ノード（例えば、基地局）からのものである。ダウンリンク送信バーストおよびアップリンク送信バーストに含まれるサブフレームの数量は、図面によって限定されない。アップリンクおよびダウンリンク送信バーストの定義については、３ＧＰＰ  ＴＲ  ３６．８８９プロトコルの説明を参照されたい。詳細は本明細書では説明されない。
【００２５】
以下、本発明の実施形態を図面を参照して詳細に説明する。
【００２６】
まず、図３Ａから図３Ｃは、本発明の実施形態で提供されるいくつかのシンボル予約方法を示す。
【００２７】
図３Ａに示すように、少なくとも１つのＳＣ−ＦＤＭＡシンボルは、アップリンク送信バーストの各サブフレームの開始位置および／または終了位置に予約されてもよい。このように、ＬＢＴを通じてチャネルにアクセスするための時間間隔は、複数のＵＥに対してアップリンク多重を実施するように、他のＵＥに対して各サブフレームの開始位置および／または終了位置に予約されることができる。
【００２８】
本明細書において、「および／または」は、以下のいくつかの場合、すなわちＳＣ−ＦＤＭＡシンボルが各サブフレームの開始位置に予約される場合、ＳＣ−ＦＤＭＡシンボルが各サブフレームの終了位置に予約される場合、およびＳＣ−ＦＤＭＡシンボルが各サブフレームの開始位置と終了位置の両方に予約される場合を含み得る。
【００２９】
具体的な実装の間、図３Ａに示すように、アップリンク送信バーストの最初のサブフレーム（例えば、図中のサブフレームＮ＋４）の前にチャネルアクセス動作（例えば、ＵＬに対するＣＣＡ）が行われるため、いずれのＳＣ−ＦＤＭＡシンボルも最初のサブフレームの開始位置に予約される必要がない。換言すれば、予約された少なくとも１つのＳＣ−ＦＤＭＡシンボルは、アップリンク送信バーストの最初のサブフレームの開始位置にＳＣ−ＦＤＭＡシンボルを含まない。
【００３０】
具体的な実装の間、図３Ａに示すように、アップリンク送信バーストの最後のサブフレーム（例えば、図中のサブフレームＮ＋６）の後にアップリンクデータが送信されないため、最後のサブフレームの終了位置にＳＣ−ＦＤＭＡシンボルが予約される必要がない。換言すれば、予約された少なくとも１つのＳＣ−ＦＤＭＡシンボルは、アップリンク送信バーストの最後のサブフレームの最後の位置にＳＣ−ＦＤＭＡシンボルを含まない。
【００３１】
可能な実装では、異なるチャネルアクセス方式で要求されるアクセス時間に応じて、異なる数のＳＣ−ＦＤＭＡシンボルが対応して予約され得る。
【００３２】
例えば、ＬＡＡにおけるアップリンク通信は、２つのＬＢＴチャネルアクセス方式をサポートする。１つは、カテゴリ４チャネルアクセス手順（Ｃａｔｅｇｏｒｙ−４  ｃｈａｎｎｅｌ  ａｃｃｅｓｓ  ｐｒｏｃｅｄｕｒｅ）に基づくアップリンクＬＢＴアクセス方式である。もう一つは高速チャネルアクセス方式であり、チャネルが２５μｓ以上アイドル状態であることが検出される限り、チャネルへの直接アクセスが行われることが可能なアップリンクＬＢＴアクセス方式である。高速チャネルアクセス方式で要求されるアクセス時間は比較的短く（２５μｓと等しいかまたはそれよりわずかに大きい）、カテゴリ４アップリンクＬＢＴアクセスモードで必要とされるアクセス時間は比較的長い。したがって、高速チャネルアクセス方式が使用される場合、１つのＳＣ−ＦＤＭＡシンボルは、アップリンク送信バーストの各サブフレームの開始位置または終了位置に予約され得る。カテゴリ４に基づくアップリンクＬＢＴアクセス方式が使用される場合、２つのＳＣ−ＦＤＭＡシンボルがアップリンク送信バーストの各サブフレームの開始位置または終了位置に予約され得る。本例は、本発明のこの実施形態の単なる実装に過ぎず、いかなる限定も構成するべきではない。実際のアプリケーションにおいて異なる実装が代替的に使用されてもよい。
【００３３】
予約されたＳＣ−ＦＤＭＡシンボルの数量は、本発明のこの実施形態に限定されないことに留意されたい。具体的な実装の間、予約される必要のあるＳＣ−ＦＤＭＡシンボルの数量は、実際のアプリケーション要件に応じて決定されてもよい。
【００３４】
図３Ｂに示すように、少なくとも１つのＳＣ−ＦＤＭＡシンボルは、アップリンク送信バーストのいくつかのサブフレームの開始位置および／または終了位置に定期的に予約されてもよい。このように、ＬＢＴを介してチャネルにアクセスするための時間間隔は、複数のＵＥに対してアップリンク多重を実施するように、他のＵＥに対してアップリンク送信バーストのいくつかのサブフレームの開始位置および／または終了位置に周期的に予約されることができる。
【００３５】
例えば、図３Ｂに示すように、シンボル予約期間Ｔは２サブフレームに等しく、言い換えるとシンボル予約は２つのサブフレームの間隔で１回行い得る。このようにして、ＳＣ−ＦＤＭＡシンボルは、サブフレームＮ＋４、サブフレームＮ＋６、およびサブフレームＮ＋８のそれぞれに予約され得る。本例は、本発明のこの実施形態の単なる実装に過ぎない。実際のアプリケーションでは、シンボル予約期間は代替的に、別の値であってもよく、本明細書では限定されない。
【００３６】
シンボル予約期間Ｔは代替的に、記号で表され得ることが理解され得る。例えば、シンボル予約期間Ｔが２つのサブフレームであり、１つのサブフレームがＮ個の（Ｎは正の整数）シンボルを含む場合、シンボル予約期間Ｔはまた、２＊Ｎ個のシンボルとして表現されてもよい。
【００３７】
可能な実装では、予め設定されたオフセットデルタが２つの隣接するシンボル予約期間の間に存在し得る。
【００３８】
例えば、シンボル予約期間Ｔは２に等しく、予め設定されたオフセットデルタは＋１のサブフレームに等しい。したがって、ＳＣ−ＦＤＭＡシンボルは、サブフレームＮ＋４、サブフレームＮ＋６、サブフレームＮ＋９、およびサブフレームＮ＋１３の開始位置に予約されてもよい。言い換えれば、１つおきの周期Ｔごとに、シンボルは、時間的に１つのサブフレームだけ後方にずれたサブフレームに予約される。別の例では、シンボル予約期間Ｔは３に等しく、予め設定されたオフセットデルタは−１のサブフレームに等しい。したがって、ＳＣ−ＦＤＭＡシンボルは、サブフレームＮ＋４、サブフレームＮ＋７、サブフレームＮ＋９、およびサブフレームＮ＋１０の開始位置に予約されてもよい。言い換えれば、１つおきの期間Ｔごとに、シンボルは、１つのサブフレームだけ順方向にずれたサブフレーム内に予約される。本例は、本発明のこの実施形態の単なる実装に過ぎず、いかなる限定もされるべきではない。実際のアプリケーションにおいて異なる実装が代替的に使用されてもよい。
【００３９】
予め設定されたオフセットデルタは代替的に、シンボルで表され得ることを理解され得る。例えば、予め設定されたオフセットデルタが＋１のサブフレームに等しく、１つのサブフレームがＮ個の（Ｎは正の整数）シンボルを含む場合、予め設定されたオフセットデルタはまた＋Ｎ個のシンボルとして表現されてもよい。
【００４０】
可能な実装において、シンボル予約期間は動的であってもよい。例えば、ｉ番目のアップリンク送信バーストにおけるシンボル予約期間は２であり、（ｉ＋１）番目のアップリンク送信バーストにおけるシンボル予約期間は３であり、ｉは正の整数である。本例は、本発明のこの実施形態の単なる実装に過ぎず、いかなる限定も構成するべきではない。実際のアプリケーションにおいて異なる実装が代替的に使用されてもよい。
【００４１】
図３Ａの実施形態の内容を参照すると、予約された少なくとも１つのＳＣ−ＦＤＭＡシンボルは、アップリンク送信バーストの最初のサブフレームの開始位置にあるＳＣ−ＦＤＭＡシンボル、またはアップリンク送信バーストの最後のサブフレームの終了位置にあるＳＣ−ＦＤＭＡシンボルを含まないことが理解できるだろう。
【００４２】
図３Ａの実施形態の内容を参照すると、異なるチャネルアクセス方式で要求されるアクセス時間に応じて、異なる数のＳＣ−ＦＤＭＡシンボルが対応して予約され得ることが理解できるだろう。予約されたＳＣ−ＦＤＭＡシンボルの数量は、本発明のこの実施形態に限定されない。具体的な実装の間、予約される必要のあるＳＣ−ＦＤＭＡシンボルの数量は、実際のアプリケーション要件に応じて決定されてもよい。
【００４３】
図３Ｃに示すように、少なくとも１つのＳＣ−ＦＤＭＡシンボルは、アップリンク送信バーストの特定のサブフレームの開始位置および／または終了位置に予約されてもよい。
【００４４】
例えば、特定のサブフレームは、各アップリンク送信バーストの最初のサブフレーム（例えば、図中のサブフレームＮ＋４）である。本例は、本発明のこの実施形態の単なる実装に過ぎない。実際のアプリケーションでは、特定のサブフレームは代替的に、アップリンク送信バーストの別のサブフレームであってもよく、限定を構成するべきではない。
【００４５】
図３Ａの実施形態の内容を参照すると、特定のサブフレームがアップリンク送信バーストの第１のサブフレームである場合、ＳＣ−ＦＤＭＡシンボルは、特定のサブフレームの終了位置にのみ予約され、または特定のサブフレームがアップリンク送信バーストの最後のサブフレームである場合、ＳＣ−ＦＤＭＡシンボルは、特定のサブフレームの開始位置にのみ予約される。
【００４６】
図３Ａの実施形態の内容を参照すると、異なるチャネルアクセス方式で要求されるアクセス時間に応じて、異なる数のＳＣ−ＦＤＭＡシンボルが対応して予約され得ることが理解できるだろう。予約されたＳＣ−ＦＤＭＡシンボルの数量は、本発明のこの実施形態に限定されない。具体的な実装の間、予約される必要のあるＳＣ−ＦＤＭＡシンボルの数量は、実際のアプリケーション要件に応じて決定されてもよい。
【００４７】
図３Ａから図３Ｃにそれぞれ対応するシンボル予約方法は、シンボル予約方法のうちの１つのみの使用に限定されるのではなく、アップリンク送信プロセスにおいて包括的に使用され得ることに留意されたい。
【００４８】
図３Ａから図３Ｃにそれぞれ示されるシンボル予約方法に加えて、少なくとも１つのＳＣ−ＦＤＭＡシンボルは代替的に、サブフレーム内（サブフレームの開始位置でも終了位置でもない）に予約され得ることに留意されたい。これは本明細書では限定されない。
【００４９】
Ｗｉ−ＦｉシステムおよびＬＡＡシステムがアンライセンスキャリア上に共存することを理解されたい。相互干渉を回避するために、リッスンビフォートークＬＢＴアクセス機構がチャネルアクセスに使用される。Ｗｉ−ＦｉシステムとＬＡＡシステムとの間のＬＢＴ機構が図４に示され得る。Ｗｉ−Ｆｉ  ＡＰがチャネル検出を実行すると、ＡＰは、チャネル全体のエネルギーがあらかじめ設定された閾値を超えると、チャネルがビジー（ｂｕｓｙ）状態にあるとみなす。
【００５０】
本発明のこの実施形態では、少なくとも１つのＳＣ−ＦＤＭＡシンボルは、Ｗｉ−Ｆｉアクセスポイント（Ａｃｃｅｓｓ  Ｐｏｉｎｔ、ＡＰ）が予約された少なくとも１つのＳＣ−ＦＤＭＡシンボルでＬＢＴを介してアイドル状態のチャネルにアクセスするのを避けるために、低電力送信シンボルであってもよく、その結果、ＬＡＡ−ＬＴＥユーザ機器はチャネルに首尾よくアクセスできない（すなわちＬＡＡ−ＬＴＥユーザ機器のアクセス成功率が低下する）。本発明のこの実施形態における低電力送信シンボル内のいくつかの周波数リソースは、占有されることが可能である。さらに、ＡＢＳシンボル内の占有されていない周波数リソース上で、ユーザ機器は、リッスンビフォートークＬＢＴアクセス機構を使用することによってチャネルにアクセスし得る。このアクセス方式は、ＬＢＴ狭帯域アクセスと呼ばれることがある。
【００５１】
低電力送信シンボル内のいくつかのリソースは占有されることが許可されるので、低電力送信シンボル内のチャネル全体のエネルギーが、予め設定された閾値を超えることがあり、その結果Ｗｉ−Ｆｉ  ＡＰは、チャネル全体がビジー状態にあり、低電力送信シンボルを占有しないことを判定することが理解され得る。このように、予約された少なくとも１つの低電力送信シンボルにおいて、別のＵＥは、サブバンド検出によって、チャネルの一部（占有されていない周波数帯域）がアイドル状態であることを発見し得、さらにＬＢＴを介してアイドル状態の部分にアクセスし得る。
【００５２】
可能な実装では、特定の属性（例えば、セル固有属性）が、例えば無線リソース制御（Ｒａｄｉｏ  Ｒｅｓｏｕｒｃｅ  Ｃｏｎｔｒｏｌ、ＲＲＣ）シグナリングの上位層シグナリングを使用することによって、低電力送信シンボルに対して設定され得、その結果セル内のすべてのＵＥは、低電力送信シンボルで占有されることが可能ないくつかの周波数リソースを使用することができる。
【００５３】
本発明のこの実施形態では、欧州電気通信標準化機構（ＥＴＳＩ）（Ｅｕｒｏｐｅａｎ  Ｔｅｌｅｃｏｍｍｕｎｉｃａｔｉｏｎｓ  Ｓｔａｎｄａｒｄｓ  Ｉｎｓｔｉｔｕｔｅ）のＥＴＳＩ  ＥＮ  ３０１  ８９３規格の関連規定によれば、低電力送信シンボルの周波数特徴は、以下の制限、すなわち低電力送信シンボルで占有されることが可能な周波数は、全帯域幅の８０％に及ぶ必要がある、言い換えれば、占有された最高周波数と占有された最低周波数との周波数差は、全帯域幅の８０％に達する必要があるという制限を満たす必要がある。
【００５４】
本明細書では、低電力送信シンボルで占有されることが可能な周波数は、単一のユーザ機器によって使用されてもよく、または複数のユーザ機器によって再使用されてもよい。これは本明細書では限定されない。
【００５５】
可能な実装では、ＥＴＳＩの規定を満たすために、低電力送信シンボル内で占有されることが可能な周波数は、システム帯域幅全体の両端部のリソースブロックに分散されてもよい。例えば、図５に示すように、低電力送信シンボルでは、システム帯域幅の両端部のリソースブロックは占有されることを可能としてもよいし、途中では占有できないリソースブロックをＬＢＡベースの狭帯域アクセスに対するＬＡＡユーザ機器用に予約される。本例は、本発明のこの実施形態の単なる実装に過ぎない。実際のアプリケーションでは、ＥＴＳＩによって特定された、低電力送信シンボルの周波数特徴に関する規定が満たされている限り、低電力送信シンボルで占有されることが可能な周波数は代替的に、別の方式で分散されてもよい。
【００５６】
上述の内容から、予約された少なくとも１つのＳＣ−ＳＣ−ＦＤＭＡシンボルは、アップリンク送信バーストのサブフレームの開始位置、アップリンク送信バーストのサブフレームの終了位置、またはアップリンク送信バーストのサブフレームの内部に存在し得てもよく、予約された少なくとも１つのＳＣ−ＦＤＭＡシンボルの数量は、アクセス方式に基づいて具体的に決定されてもよく、予約された少なくとも１つのＳＣ−ＦＤＭＡシンボルのタイプは、ブランクシンボル（すなわち、シンボル内の全チャネルがアイドル状態にある）であってもよいし、または低電力送信シンボルであってもよく（すなわち、シンボル内のいくつかの周波数リソースは占有されることが可能である）、予約された少なくとも１つのＳＣ−ＦＤＭＡシンボルは、いくつかのサブフレームに周期的に存在してもよいことが理解できる。
【００５７】
具体的な実装の間、予約された少なくとも１つのＳＣ−ＦＤＭＡシンボルは、上位層設定シグナリング（例えば、ＲＲＣシグナリング）、物理ダウンリンク制御チャネル（ＰＤＣＣＨ）などを使用することによって設定してもよく、以下のオプションのうちの少なくとも１つ、すなわち予約されたＳＣ−ＦＤＭＡシンボルの数量、サブフレーム内の予約されたＳＣ−ＦＤＭＡシンボルの位置、予約されたＳＣ−ＦＤＭＡシンボルのタイプ、および予約されたＳＣ−ＦＤＭＡシンボルの周期およびオフセットのうちの少なくとも１つが具体的に含まれる。
【００５８】
上述の内容から、予約された少なくとも１つのＳＣ−ＦＤＭＡシンボルは、アップリンク送信バーストの各サブフレームに存在してもよく、またはいくつかのサブフレームに周期的に存在してもよく、あるいは特定のサブフレームに存在してもよいことが理解できる。
【００５９】
具体的な実装の間、予約されたＳＣ−ＦＤＭＡシンボルを含むサブフレームは、上位層設定シグナリング（例えば、ＲＲＣシグナリング）、物理ダウンリンク制御チャネル（ＰＤＣＣＨ）などを使用して設定されてもよく、以下のオプションのうちの少なくとも１つ、すなわち予約されたＳＣ−ＦＤＭＡシンボルを含むサブフレームの数量、アップリンク送信バースト内の予約されたＳＣ−ＦＤＭＡシンボルを含むサブフレームの位置、および予約されたＳＣ−ＦＤＭＡシンボルを含むサブフレームの周期およびオフセットのうちの少なくとも１つが具体的に含まれる。
【００６０】
本発明のこの実施形態では、少なくとも１つのＳＣ−ＦＤＭＡシンボルは、アップリンク送信バーストのサブフレームに予約される。予約された少なくとも１つのＳＣ−ＦＤＭＡシンボルでは、ユーザ機器は、リッスンビフォートークＬＢＴアクセス機構を用いてチャネルにアクセスし得る。このように、ＬＢＴを介してチャネルにアクセスするための時間間隔は、他のＵＥに対してアップリンク送信バーストにおいて予約されることができ、他のＵＥがチャネルに首尾よくアクセスする確率が向上するため、ＬＡＡ通信システム内の複数のユーザ機器は、アップリンク多重を実行することができる。
【００６１】
同じ独創的な概念に基づいて、本発明の実施形態は、（図６に示すような）通信ネットワーク装置１００を提供する。本装置は、図３Ａから図３Ｃの実施形態で説明した方法を実施するように構成される。
【００６２】
図６を参照すると、通信ネットワーク装置１００は、メモリ１００２と、メモリ１００２と結合されたプロセッサ１００１、送信器１００３、および受信器１００４とを含む。送信器１００３は、外部装置にデータを送信するように構成される。受信器１００４は、外部装置によって送信されたデータを受信するように構成される。メモリ１００２は、前述の実施形態で説明された方法を実施するためのコードを格納するように構成される。プロセッサ１００１は、メモリ１００２に格納されたプログラムコードを実行して、
アンライセンスキャリア上で送信された送信バーストに対して、送信バーストに対応するアップリンク送信バーストのサブフレーム内に少なくとも１つのＳＣ−ＦＤＭＡシンボルを予約するように構成され、予約された少なくとも１つのＳＣ−ＦＤＭＡシンボルにおいて、ユーザ機器は、リッスンビフォートークＬＢＴアクセス機構を使用してチャネルにアクセスする。
【００６３】
可能な実装では、プロセッサ１００１は、アップリンク送信バーストの各サブフレームの開始位置および／または終了位置に少なくとも１つのＳＣ−ＦＤＭＡシンボルを予約するように構成されてもよい。このように、ＬＢＴを介してチャネルにアクセスするための時間間隔は、複数のＵＥに対してアップリンク多重を実施するように、他のＵＥに対して各サブフレームの開始位置および／または終了位置に予約されることができる。
【００６４】
可能な実装では、プロセッサ１００１は、アップリンク送信バーストのいくつかのサブフレームの開始位置および／または終了位置に少なくとも１つのＳＣ−ＦＤＭＡシンボルを周期的に予約するように構成されてもよい。このように、ＬＢＴを介してチャネルにアクセスするための時間間隔は、複数のＵＥに対してアップリンク多重を実施するように、他のＵＥに対してアップリンク送信バーストのいくつかのサブフレームの開始位置および／または終了位置に定期的に予約されることができる。
【００６５】
第１の態様を参照すると、可能な実装では、プロセッサ１００１は、アップリンク送信バーストの特定のサブフレームの開始位置および／または終了位置に少なくとも１つのＳＣ−ＦＤＭＡシンボルを予約するように構成されてもよい。
【００６６】
いくつかの可能な実装では、少なくとも１つのＳＣ−ＦＤＭＡシンボルは低電力送信シンボルであってもよい。本発明のこの実施形態における低電力送信シンボル内のいくつかの周波数リソースは、占有されることが可能である。さらに、ＡＢＳシンボル内の占有されていない周波数リソース上で、ユーザ機器は、リッスンビフォートークＬＢＴアクセス機構を使用することによってチャネルにアクセスし得る。このようにして、これにより、Ｗｉ−Ｆｉアクセスポイントが、予約された少なくとも１つのＳＣ−ＦＤＭＡシンボル内でＬＢＴを介してアイドルチャネルにアクセスすることを回避し得、その結果ＬＡＡ−ＬＴＥユーザ機器は、チャネルに首尾よくアクセスすることができない（すなわち、ＬＡＡ−ＬＴＥユーザ機器のアクセス成功の確率が低減される）。
【００６７】
いくつかの可能な実装では、低電力送信シンボルの周波数特徴に関するＥＴＳＩの規定を満たすために、低電力送信シンボルで占有されることが可能な周波数は、全体のシステム帯域幅の両端部のリソースブロックに分散しうる。
【００６８】
特定の実装の間、プロセッサ１００１はさらに、上位層設定シグナリング（例えば、ＲＲＣシグナリング）、物理ダウンリンク制御チャネル（ＰＤＣＣＨ）、または下位層設定シグナリングを使用することによって、予約された少なくとも１つのＳＣ−ＦＤＭＡシンボルを設定するように適応されてもよく、以下のオプションのうちの少なくとも１つ、すなわち予約されたＳＣ−ＦＤＭＡシンボルの数量、サブフレーム内の予約されたＳＣ−ＦＤＭＡシンボルの位置、予約されたＳＣ−ＦＤＭＡシンボルのタイプ、および予約されたＳＣ−ＦＤＭＡシンボルの周期およびオフセットのうちの少なくとも１つが具体的に含まれる。
【００６９】
具体的な実装の間、プロセッサ１００１はさらに、上位層設定シグナリング（例えば、ＲＲＣシグナリング）、物理ダウンリンク制御チャネル（ＰＤＣＣＨ）などを使用することによって、予約されたＳＣ−ＦＤＭＡを含むサブフレームを設定するように適応されてもよく、以下のオプションのうちの少なくとも１つ、すなわち予約されたＳＣ−ＦＤＭＡシンボルを含むサブフレームの数量、アップリンク送信バースト内の予約されたＳＣ−ＦＤＭＡシンボルを含むサブフレームの位置、および予約されたＳＣ−ＦＤＭＡシンボルを含むサブフレームの周期およびオフセットのうちの少なくとも１つが具体的に含まれる。
【００７０】
プロセッサ１００１によって実行されるステップについては、図３Ａから図３Ｃの実施形態で説明された方法を参照することが理解されよう。詳細は本明細書では再度説明されない。
【００７１】
同じ独創的概念に基づいて、本発明の実施形態はさらに、通信ネットワーク装置を提供する。通信ネットワーク装置は、図３Ａから図３Ｃの実施形態で説明された方法を実行するように構成される機能モジュールを含む。
【００７２】
図３Ａから図３Ｃの実施形態で説明された方法における各種の変更方法および具体的な例は、本実施形態の通信ネットワーク装置にも適用可能である。図３Ａから図３Ｃの実施形態で説明された方法の詳細な説明に基づいて、当業者であれば本実施形態の信号送信装置の実装方法は明らかに分かり得る。この明細書を簡潔にするために、詳細は本明細書では再度説明されない。
【００７３】
当業者は、本発明の実施形態が、方法、システム、またはコンピュータプログラム製品として提供され得ることを理解すべきである。したがって、本発明は、ハードウェアのみの実施形態、ソフトウェアのみの実施形態、またはソフトウェアとハードウェアの組み合わせによる実施形態の形態を使用し得る。さらに、本発明は、１つまたは複数の、コンピュータで使用可能な記憶媒体（ディスクメモリ、光メモリなどを含むが、これに限定されない）であって、コンピュータ使用可能プログラムコードを含む媒体上に実装されたコンピュータプログラム製品の形態を使用し得る。
【００７４】
本発明は、本発明の方法、装置（システム）、およびコンピュータプログラム製品のフローチャートおよび／またはブロック図を参照して説明される。フローチャートおよび／またはブロック図内の各プロセスおよび／または各ブロック、ならびにフローチャートおよび／またはブロック図内のプロセスおよび／またはブロックの組み合わせを実装するためにコンピュータプログラム命令が使用され得ることを理解されたい。これらのコンピュータプログラム命令は、汎用コンピュータ、専用コンピュータ、組み込みプロセッサ、または任意の他のプログラマブルデータ処理装置のプロセッサに提供されて、機械を生成し得、その結果、コンピュータまたは任意の他のプログラマブルデータ処理装置のプロセッサにより実行される命令は、フローチャート内の１つまたは複数のプロセスおよび／またはブロック図内の１つまたは複数のブロックで特定の機能を実装するための装置を生成する。
【００７５】
コンピュータまたは他のプログラム可能データ処理装置に特定の方法で動作するよう指示することができるこれらのコンピュータプログラム命令はまた、コンピュータ可読メモリに格納されてもよく、それによって、コンピュータ可読メモリに格納された命令は、指示装置を含むアーチファクトを生成する。指示装置は、フローチャート内の１つまたは複数のプロセスおよび／またはブロック図内の１つまたは複数のブロックにおいて特定の機能を実装する。
【００７６】
これらのコンピュータプログラム命令は、コンピュータまたは別のプログラマブルデータ処理装置にロードされてもよいため、一連の動作およびステップがコンピュータまたは別のプログラマブルデバイス上で実行され、それによりコンピュータ実装処理を生成する。したがって、コンピュータまたは別のプログラマブルデバイス上で実行される命令は、フローチャート内の１つまたは複数のプロセスおよび／またはブロック図内の１つまたは複数のブロックに特定の機能を実装するステップを提供する。
【００７７】
明らかに、当業者は、本発明の精神および範囲から逸脱することなく、本発明に対して様々な変更および変形を行うことができる。本発明は、添付の特許請求の範囲およびそれらの等価な技術によって規定される保護の範囲内に入るという条件で、これらの変更および変形を保護することが意図されている。
【図１】
2019515569.tif 000003
【図２】
2019515569.tif 000004
【図３Ａ】
2019515569.tif 000005
【図３Ｂ】
2019515569.tif 000006
【図３Ｃ】
2019515569.tif 000007
【図４】
2019515569.tif 000008
【図５】
2019515569.tif 000009
【図６】
2019515569.tif 000010
【手続補正書】
【提出日】平成30年12月13日(2018.12.13)
【手続補正１】
【補正対象書類名】特許請求の範囲
【補正対象項目名】全文
【補正方法】変更
【補正の内容】
【特許請求の範囲】
【請求項１】
ライセンス補助アクセスＬＡＡシステムに基づくアップリンク送信方法であって、
アンライセンスキャリア上で送信される送信バーストについて、前記送信バーストに対応するアップリンク送信バーストのサブフレーム内に少なくとも１つのＳＣ−ＦＤＭＡシンボルを予約するステップを含み、前記予約された少なくとも１つのＳＣ−ＦＤＭＡシンボルにおいて、ユーザ機器は、リッスンビフォートークＬＢＴアクセス機構を使用してチャネルにアクセスする、方法。
【請求項２】
前記送信バーストに対応するアップリンク送信バーストのサブフレーム内に少なくとも１つのＳＣ−ＦＤＭＡシンボルを予約する前記ステップは、
前記アップリンク送信バーストの各サブフレームの開始位置および／または終了位置に少なくとも１つのＳＣ−ＦＤＭＡシンボルを予約するステップ、または
前記アップリンク送信バーストのいくつかのサブフレームの開始位置および／または終了位置に少なくとも１つのＳＣ−ＦＤＭＡシンボルを周期的に予約するステップ、または
前記アップリンク送信バーストの特定のサブフレームの開始位置および／または終了位置に少なくとも１つのＳＣ−ＦＤＭＡシンボルを予約するステップ
を含む、請求項１に記載の方法。
【請求項３】
前記予約された少なくとも１つのＳＣ−ＦＤＭＡシンボルは低電力送信シンボルであり、前記低電力送信シンボル内のいくつかの周波数領域リソースは占有されることが可能であり、前記低電力送信シンボル内の占有されていない周波数リソース上で、前記ユーザ機器は、前記リッスンビフォートークＬＢＴアクセス機構を使用して前記チャネルにアクセスする、請求項１または２に記載の方法。
【請求項４】
前記低電力送信シンボルにおいて占有されることが可能な前記いくつかの周波数リソースは、システム帯域幅全体の両端部のリソースブロックに分散される、請求項３に記載の方法。
【請求項５】
前記予約された少なくとも１つのＳＣ−ＦＤＭＡシンボルは、前記アップリンク送信バーストの最初のサブフレームの開始位置のシンボル、または前記アップリンク送信バーストの最後のサブフレームの終了位置のシンボルを含まない、請求項１から４のいずれか一項に記載の方法。
【請求項６】
前記予約された少なくとも１つのＳＣ−ＦＤＭＡシンボルを、上位層設定シグナリングおよび／または物理ダウンリンク制御チャネルを使用して構成するステップをさらに含み、以下のオプション、すなわち予約されたＳＣ−ＦＤＭＡシンボルの数量、サブフレーム内の前記予約されたＳＣ−ＦＤＭＡシンボルの位置、予約されたＳＣ−ＦＤＭＡシンボルのタイプ、および前記予約されたＳＣ−ＦＤＭＡシンボルの周期およびオフセットのうちの少なくとも１つが具体的に含まれる、請求項１から５のいずれか一項に記載の方法。
【請求項７】
上位層設定シグナリングおよび／または物理ダウンリンク制御チャネルを使用して、前記予約されたＳＣ−ＦＤＭＡシンボルを含むサブフレームを設定するステップをさらに含み、以下のオプション、すなわち前記予約されたＳＣ−ＦＤＭＡシンボルを含むサブフレームの数量、前記アップリンク送信バースト内の前記予約されたＳＣ−ＦＤＭＡシンボルを含む前記サブフレームの位置、および前記予約されたＳＣ−ＦＤＭＡシンボルを含む前記サブフレームの周期およびオフセットのうちの少なくとも１つが具体的に含まれる、請求項１から６のいずれか一項に記載の方法。
【請求項８】
通信ネットワーク装置であって、
アンライセンスキャリア上で送信された送信バーストに対して、前記送信バーストに対応するアップリンク送信バーストのサブフレーム内に少なくとも１つのＳＣ−ＦＤＭＡシンボルを予約するように構成されるプロセッサを備え、前記予約された少なくとも１つのＳＣ−ＦＤＭＡシンボルにおいて、ユーザ機器は、リッスンビフォートークＬＢＴアクセス機構を使用してチャネルにアクセスする、通信ネットワーク装置。
【請求項９】
前記プロセッサは、前記アップリンク送信バーストの各サブフレームの開始位置および／または終了位置に少なくとも１つのＳＣ−ＦＤＭＡシンボルを予約する、
または前記アップリンク送信バーストのいくつかのサブフレームの開始位置および／または終了位置に少なくとも１つのＳＣ−ＦＤＭＡシンボルを周期的に予約する、
または前記アップリンク送信バーストの特定のサブフレームの開始位置および／または終了位置に少なくとも１つのＳＣ−ＦＤＭＡシンボルを予約するように具体的に構成される、請求項８に記載の通信ネットワーク装置。
【請求項１０】
前記予約された少なくとも１つのＳＣ−ＦＤＭＡシンボルは低電力送信シンボルであり、前記低電力送信シンボル内のいくつかの周波数領域リソースは占有されることが可能であり、前記低電力送信シンボル内の占有されていない周波数リソース上で、前記ユーザ機器は、前記リッスンビフォートークＬＢＴアクセス機構を使用して前記チャネルにアクセスする、請求項８または９に記載の通信ネットワーク装置。
【請求項１１】
前記低電力送信シンボルにおいて占有されることが可能な前記いくつかの周波数リソースは、システム帯域幅全体の両端部のリソースブロックに分散される、請求項１０に記載の通信ネットワーク装置。
【請求項１２】
前記予約された少なくとも１つのＳＣ−ＦＤＭＡシンボルは、前記アップリンク送信バーストの最初のサブフレームの開始位置のシンボル、または前記アップリンク送信バーストの最後のサブフレームの終了位置のシンボルを含まない、請求項８から１１のいずれか一項に記載の通信ネットワーク装置。
【請求項１３】
前記プロセッサは、前記予約された少なくとも１つのＳＣ−ＦＤＭＡシンボルを、上位層設定シグナリングおよび／または物理ダウンリンク制御チャネルを使用して設定するようにさらに適合され、以下のオプション、すなわち予約されたＳＣ−ＦＤＭＡシンボルの数量、サブフレーム内の前記予約されたＳＣ−ＦＤＭＡシンボルの位置、予約されたＳＣ−ＦＤＭＡシンボルのタイプ、および前記予約されたＳＣ−ＦＤＭＡシンボルの周期およびオフセットのうちの少なくとも１つが具体的に含まれる、請求項８から１２のいずれか一項に記載の通信ネットワーク装置。
【請求項１４】
前記プロセッサは、上位層設定シグナリングおよび／または物理ダウンリンク制御チャネルを使用して、前記予約されたＳＣ−ＦＤＭＡシンボルを含むサブフレームを設定するようにさらに適合され、以下のオプション、すなわち前記予約されたＳＣ−ＦＤＭＡシンボルを含むサブフレームの数量、前記アップリンク送信バースト内の前記予約されたＳＣ−ＦＤＭＡシンボルを含む前記サブフレームの位置、および前記予約されたＳＣ−ＦＤＭＡシンボルを含む前記サブフレームの周期およびオフセットのうちの少なくとも１つが具体的に含まれる、請求項８から１３のいずれか一項に記載の通信ネットワーク装置。
【請求項１５】
記録されたプログラムを有するコンピュータ読み取り可能記憶媒体であって、前記プログラムは、請求項１から７のいずれかに記載の方法をコンピュータに実行させる、コンピュータ読み取り可能記憶媒体。
【請求項１６】
通信ネットワーク装置であって、
少なくとも１つのプロセッサと、
前記少なくとも１つのプロセッサに結合され、前記少なくとも１つのプロセッサによる実行のためのプログラミング命令を記憶するメモリであって、前記プログラミング命令は、前記少なくとも１つのプロセッサに、
アンライセンスキャリア上で送信される送信バーストについて、前記送信バーストに対応するアップリンク送信バーストのサブフレーム内に少なくとも１つのＳＣ−ＦＤＭＡシンボルを予約することであって、前記予約された少なくとも１つのＳＣ−ＦＤＭＡシンボルにおいて、ユーザ機器は、リッスンビフォートーク（ＬＢＴ）アクセス機構を使用してチャネルにアクセスする、予約することを含む動作を実行するように命令する、通信ネットワーク装置。
【請求項１７】
前記動作は、
前記アップリンク送信バーストの各サブフレームの開始位置および／または終了位置に少なくとも１つのＳＣ−ＦＤＭＡシンボルを予約すること、または
前記アップリンク送信バーストのいくつかのサブフレームの開始位置および／または終了位置に少なくとも１つのＳＣ−ＦＤＭＡシンボルを周期的に予約すること、または
前記アップリンク送信バーストの特定のサブフレームの開始位置および／または終了位置に少なくとも１つのＳＣ−ＦＤＭＡシンボルを予約すること
を含む、請求項１６に記載の通信ネットワーク装置。
【請求項１８】
前記予約された少なくとも１つのＳＣ−ＦＤＭＡシンボルは低電力送信シンボルであり、前記低電力送信シンボル内のいくつかの周波数領域リソースは占有されることが可能であり、前記低電力送信シンボル内の占有されていない周波数リソース上で、前記ユーザ機器は、前記ＬＢＴアクセス機構を使用して前記チャネルにアクセスする、請求項１６または１７に記載の通信ネットワーク装置。
【請求項１９】
前記低電力送信シンボルにおいて占有されることが可能な前記いくつかの周波数リソースは、システム帯域幅全体の両端部のリソースブロックに分散される、請求項１８に記載の通信ネットワーク装置。
【請求項２０】
前記予約された少なくとも１つのＳＣ−ＦＤＭＡシンボルは、前記アップリンク送信バーストの最初のサブフレームの開始位置のシンボル、または前記アップリンク送信バーストの最後のサブフレームの終了位置のシンボルを含まない、請求項１６から１９のいずれか一項に記載の通信ネットワーク装置。
【手続補正書】
【提出日】平成30年12月28日(2018.12.28)
【手続補正１】
【補正対象書類名】特許請求の範囲
【補正対象項目名】全文
【補正方法】変更
【補正の内容】
【特許請求の範囲】
【請求項１】
ライセンス補助アクセスＬＡＡシステムに基づくアップリンク送信方法であって、
アンライセンスキャリア上で送信される送信バーストについて、前記送信バーストに対応するアップリンク送信バーストのサブフレーム内に少なくとも１つのＳＣ−ＦＤＭＡシンボルを予約するステップを含み、前記予約された少なくとも１つのＳＣ−ＦＤＭＡシンボルにおいて、ユーザ機器は、リッスンビフォートークＬＢＴアクセス機構を使用してチャネルにアクセスする、方法。
【請求項２】
前記送信バーストに対応するアップリンク送信バーストのサブフレーム内に少なくとも１つのＳＣ−ＦＤＭＡシンボルを予約する前記ステップは、
前記アップリンク送信バーストの各サブフレームの開始位置および／または終了位置に少なくとも１つのＳＣ−ＦＤＭＡシンボルを予約するステップ、または
前記アップリンク送信バーストのいくつかのサブフレームの開始位置および／または終了位置に少なくとも１つのＳＣ−ＦＤＭＡシンボルを周期的に予約するステップ、または
前記アップリンク送信バーストの特定のサブフレームの開始位置および／または終了位置に少なくとも１つのＳＣ−ＦＤＭＡシンボルを予約するステップ
を含む、請求項１に記載の方法。
【請求項３】
前記予約された少なくとも１つのＳＣ−ＦＤＭＡシンボルは低電力送信シンボルであり、前記低電力送信シンボル内のいくつかの周波数領域リソースは占有されることが可能であり、前記低電力送信シンボル内の占有されていない周波数リソース上で、前記ユーザ機器は、前記リッスンビフォートークＬＢＴアクセス機構を使用して前記チャネルにアクセスする、請求項１または２に記載の方法。
【請求項４】
前記低電力送信シンボルにおいて占有されることが可能な前記いくつかの周波数領域リソースは、システム帯域幅全体の両端部のリソースブロックに分散される、請求項３に記載の方法。
【請求項５】
前記予約された少なくとも１つのＳＣ−ＦＤＭＡシンボルは、前記アップリンク送信バーストの最初のサブフレームの開始位置のシンボル、または前記アップリンク送信バーストの最後のサブフレームの終了位置のシンボルを含まない、請求項１から４のいずれか一項に記載の方法。
【請求項６】
前記予約された少なくとも１つのＳＣ−ＦＤＭＡシンボルを、上位層設定シグナリングおよび／または物理ダウンリンク制御チャネルを使用して構成するステップをさらに含み、以下のオプション、すなわち予約されたＳＣ−ＦＤＭＡシンボルの数量、サブフレーム内の前記予約されたＳＣ−ＦＤＭＡシンボルの位置、予約されたＳＣ−ＦＤＭＡシンボルのタイプ、および前記予約されたＳＣ−ＦＤＭＡシンボルの周期およびオフセットのうちの少なくとも１つが具体的に含まれる、請求項１から５のいずれか一項に記載の方法。
【請求項７】
上位層設定シグナリングおよび／または物理ダウンリンク制御チャネルを使用して、前記予約されたＳＣ−ＦＤＭＡシンボルを含むサブフレームを設定するステップをさらに含み、以下のオプション、すなわち前記予約されたＳＣ−ＦＤＭＡシンボルを含むサブフレームの数量、前記アップリンク送信バースト内の前記予約されたＳＣ−ＦＤＭＡシンボルを含む前記サブフレームの位置、および前記予約されたＳＣ−ＦＤＭＡシンボルを含む前記サブフレームの周期およびオフセットのうちの少なくとも１つが具体的に含まれる、請求項１から６のいずれか一項に記載の方法。
【請求項８】
通信ネットワーク装置であって、
アンライセンスキャリア上で送信された送信バーストに対して、前記送信バーストに対応するアップリンク送信バーストのサブフレーム内に少なくとも１つのＳＣ−ＦＤＭＡシンボルを予約するように構成されるプロセッサを備え、前記予約された少なくとも１つのＳＣ−ＦＤＭＡシンボルにおいて、ユーザ機器は、リッスンビフォートークＬＢＴアクセス機構を使用してチャネルにアクセスする、通信ネットワーク装置。
【請求項９】
前記プロセッサは、前記アップリンク送信バーストの各サブフレームの開始位置および／または終了位置に少なくとも１つのＳＣ−ＦＤＭＡシンボルを予約する、
または前記アップリンク送信バーストのいくつかのサブフレームの開始位置および／または終了位置に少なくとも１つのＳＣ−ＦＤＭＡシンボルを周期的に予約する、
または前記アップリンク送信バーストの特定のサブフレームの開始位置および／または終了位置に少なくとも１つのＳＣ−ＦＤＭＡシンボルを予約するように具体的に構成される、請求項８に記載の通信ネットワーク装置。
【請求項１０】
前記予約された少なくとも１つのＳＣ−ＦＤＭＡシンボルは低電力送信シンボルであり、前記低電力送信シンボル内のいくつかの周波数領域リソースは占有されることが可能であり、前記低電力送信シンボル内の占有されていない周波数リソース上で、前記ユーザ機器は、前記リッスンビフォートークＬＢＴアクセス機構を使用して前記チャネルにアクセスする、請求項８または９に記載の通信ネットワーク装置。
【請求項１１】
前記低電力送信シンボルにおいて占有されることが可能な前記いくつかの周波数領域リソースは、システム帯域幅全体の両端部のリソースブロックに分散される、請求項１０に記載の通信ネットワーク装置。
【請求項１２】
前記予約された少なくとも１つのＳＣ−ＦＤＭＡシンボルは、前記アップリンク送信バーストの最初のサブフレームの開始位置のシンボル、または前記アップリンク送信バーストの最後のサブフレームの終了位置のシンボルを含まない、請求項８から１１のいずれか一項に記載の通信ネットワーク装置。
【請求項１３】
前記プロセッサは、前記予約された少なくとも１つのＳＣ−ＦＤＭＡシンボルを、上位層設定シグナリングおよび／または物理ダウンリンク制御チャネルを使用して設定するようにさらに適合され、以下のオプション、すなわち予約されたＳＣ−ＦＤＭＡシンボルの数量、サブフレーム内の前記予約されたＳＣ−ＦＤＭＡシンボルの位置、予約されたＳＣ−ＦＤＭＡシンボルのタイプ、および前記予約されたＳＣ−ＦＤＭＡシンボルの周期およびオフセットのうちの少なくとも１つが具体的に含まれる、請求項８から１２のいずれか一項に記載の通信ネットワーク装置。
【請求項１４】
前記プロセッサは、上位層設定シグナリングおよび／または物理ダウンリンク制御チャネルを使用して、前記予約されたＳＣ−ＦＤＭＡシンボルを含むサブフレームを設定するようにさらに適合され、以下のオプション、すなわち前記予約されたＳＣ−ＦＤＭＡシンボルを含むサブフレームの数量、前記アップリンク送信バースト内の前記予約されたＳＣ−ＦＤＭＡシンボルを含む前記サブフレームの位置、および前記予約されたＳＣ−ＦＤＭＡシンボルを含む前記サブフレームの周期およびオフセットのうちの少なくとも１つが具体的に含まれる、請求項８から１３のいずれか一項に記載の通信ネットワーク装置。
【請求項１５】
記録されたプログラムを有するコンピュータ読み取り可能記憶媒体であって、前記プログラムは、請求項１から７のいずれかに記載の方法をコンピュータに実行させる、コンピュータ読み取り可能記憶媒体。
【請求項１６】
通信ネットワーク装置であって、
少なくとも１つのプロセッサと、
前記少なくとも１つのプロセッサに結合され、前記少なくとも１つのプロセッサによる実行のためのプログラミング命令を記憶するメモリであって、前記プログラミング命令は、前記少なくとも１つのプロセッサに、
アンライセンスキャリア上で送信される送信バーストについて、前記送信バーストに対応するアップリンク送信バーストのサブフレーム内に少なくとも１つのＳＣ−ＦＤＭＡシンボルを予約することであって、前記予約された少なくとも１つのＳＣ−ＦＤＭＡシンボルにおいて、ユーザ機器は、リッスンビフォートーク（ＬＢＴ）アクセス機構を使用してチャネルにアクセスする、予約することを含む動作を実行するように命令する、通信ネットワーク装置。
【請求項１７】
前記動作は、
前記アップリンク送信バーストの各サブフレームの開始位置および／または終了位置に少なくとも１つのＳＣ−ＦＤＭＡシンボルを予約すること、または
前記アップリンク送信バーストのいくつかのサブフレームの開始位置および／または終了位置に少なくとも１つのＳＣ−ＦＤＭＡシンボルを周期的に予約すること、または
前記アップリンク送信バーストの特定のサブフレームの開始位置および／または終了位置に少なくとも１つのＳＣ−ＦＤＭＡシンボルを予約すること
を含む、請求項１６に記載の通信ネットワーク装置。
【請求項１８】
前記予約された少なくとも１つのＳＣ−ＦＤＭＡシンボルは低電力送信シンボルであり、前記低電力送信シンボル内のいくつかの周波数領域リソースは占有されることが可能であり、前記低電力送信シンボル内の占有されていない周波数リソース上で、前記ユーザ機器は、前記ＬＢＴアクセス機構を使用して前記チャネルにアクセスする、請求項１６または１７に記載の通信ネットワーク装置。
【請求項１９】
前記低電力送信シンボルにおいて占有されることが可能な前記いくつかの周波数領域リソースは、システム帯域幅全体の両端部のリソースブロックに分散される、請求項１８に記載の通信ネットワーク装置。
【請求項２０】
前記予約された少なくとも１つのＳＣ−ＦＤＭＡシンボルは、前記アップリンク送信バーストの最初のサブフレームの開始位置のシンボル、または前記アップリンク送信バーストの最後のサブフレームの終了位置のシンボルを含まない、請求項１６から１９のいずれか一項に記載の通信ネットワーク装置。
【国際調査報告】
2019515569.tif 000011
2019515569.tif 000012
2019515569.tif 000013
2019515569.tif 000014
2019515569.tif 000015
2019515569.tif 000016